(57)【要約】      （修正有）【課題】収容物を内側収容部に容易に収容でき、かつ着用者に窮屈感を生じさせずに内側収容部から収容物を取り出すことができる上衣を提供する。【解決手段】上衣１は、前開き用線ファスナ６によって開閉される前開き部２Ａを有する前身頃２と後身頃とを有するものであって、前開き部２Ａの高さ方向Ｙに沿って開口部１１が形成され、前身頃２の内側かつ胸部から腹部にかけて設けられた内ポケット１０と、開口部１１を開閉するための内ポケット用線ファスナ１２とを備え、前開き部２Ａが前開き用線ファスナ６で閉じられた状態で、内ポケット１０に収容物を収容できる構成をとる。【選択図】図１
0003216464.tif 000002
【実用新案登録請求の範囲】
【請求項１】
線ファスナによって開閉される前開き部を有する前身頃と後身頃とを有する上衣において、
前記前開き部の着丈方向に沿って開口部が形成され、前記前身頃の内側、かつ胸部から腹部にかけて設けられた内側収容部と、
前記開口部を開閉するための開閉部とを備え、
前記前開き部が前記線ファスナで閉じられた状態で、前記内側収容部に収容物を収容できる、
ことを特徴とする上衣。
【請求項２】
前記後身頃の肩部から前記後身頃の脇下部にかけて、折り畳み部が設けられている、
ことを特徴とする請求項１に記載の上衣。
【請求項３】
前記前身頃の肩部から前記後身頃の背中部にかけて、メッシュ素材の伸縮部が設けられている、
ことを特徴とする請求項１に記載の上衣。
【請求項４】
前記後身頃の内側かつ肩部にネット部材が設けられている、
ことを特徴とする請求項１から請求項３の何れか１項に記載の上衣。
【考案の詳細な説明】
【技術分野】
【０００１】
本考案は、前身頃の内側に内ポケットを備えた上衣に関するものである。
【背景技術】
【０００２】
従来から、内ポケットを備える上衣が知られている（例えば、特許文献１及び特許文献２）。
特許文献１の上衣は、前身頃の裏面に携帯用電子機器の収納用内ポケットを設けられると共に、前身頃上部にコードの挿通孔が設けられている。この上衣の前身頃を開いた上状態で、上衣の内ポケットに携帯用電子機器が収納される。
特許文献２の上衣は、前身頃の左右両側の胸部に形成された第１ポケット部、この第一ポケットの上側に開口した開口部を覆うように配置されたフラップと、前身頃の内側に設けられ、第１ポケット部よりも大きい第２ポケット部とを備えている。この第２ポケット部の上端部は、フラップの上端部と共に前身頃に縫い付けられ、上衣の外表面に第２ポケット部の開口部が設けられている。
【先行技術文献】
【特許文献】
【０００３】
【特許文献１】特開２００５−２１３７１６号公報
【特許文献２】特開２０１７−１７９６７９号公報
【考案の概要】
【考案が解決しようとする課題】
【０００４】
特許文献１の上衣は、内ポケットへの収容物の出し入れは、前身頃を一旦開いた状態にする必要がある。そのため、収容物の出し入れに手間がかかる。
特許文献２の上衣では、第２ポケット部の開口部が、胸部に第１ポケットの上端よりも上側に設けられているため、第２ポケット部に収容された収容物を取り出す際、一旦腕を折り曲げて、胸部の上側から第２ポケット部の開口部に手先を差し込まなければいけない。そうすると、腕が窮屈になり、第２ポケット部から収容物を取り出すのに手間が生じる。
【０００５】
本考案は、収容物を内側収容部に容易に収容でき、かつ着用者に窮屈感を生じさせずに内側収容部から収容物を取り出すことができる上衣を提供することを目的とする。
【課題を解決するための手段】
【０００６】
本考案に係る上衣は、線ファスナによって開閉される前開き部を有する前身頃と後身頃とを有するものであって、前開き部の着丈方向に沿って開口部が形成され、前身頃の内側、かつ胸部から腹部にかけて設けられた内側収容部と、開口部を開閉するための開閉部とを備え、前開き部が線ファスナで閉じられた状態で、内側収容部に収容物を収容できることを特徴とする。
【０００７】
本考案に係る上衣は、後身頃の肩部から後身頃の脇下部にかけて、折り畳み部が設けられていることを特徴とする。
【０００８】
本考案に係る上衣は、前身頃の肩部から後身頃の背中部にかけて、メッシュ素材の伸縮部が設けられていることを特徴とする。
【０００９】
本考案に係る上衣は、後身頃の内側かつ肩部にネット部材が設けられていることを特徴とする。
【考案の効果】
【００１０】
本考案に係る上衣は、前開き部の着丈方向に沿って開口部が形成されているため、収容物を内側収容部に容易に収容でき、かつ着用者に窮屈感を生じさせずに内側収容部から収容物を取り出すことができる。また、本考案に係る上衣は、前身頃の前開き部が線ファスナで閉じられた状態で、内側収容部に収容物を収容できる。そうすると、線ファスナで前開き部を開いた状態とした後、収容物を内側収容部に収容する必要がなくなる。したがって、前開き部が線ファスナで閉じられた状態で、内側収容部に収容物を直接収容でき、着用者の手間を省くことができる。
さらに、本考案に係る上衣は、内側収容部が胸部から腹部にかけて設けられているため、この内側収容部は比較的大きなサイズの収容物を収容することができる。
【００１１】
本考案に係る上衣は、後身頃の肩部から後身頃の脇下部にかけて、折り畳み部が設けられていることが好ましい。着用者の体勢や動作によって、上衣の背中部や肩部に、裾口幅方向から引っ張り力が加わった際、折り畳み部が拡がり、上衣に生じる衣服圧を低減する。したがって、着用者に窮屈感や違和感を生じさせず、着用者は快適に作業を行うことができる。
【００１２】
また、本考案に係る上衣は、前身頃の肩部から後身頃の背中部にかけて、メッシュ状の伸縮部が設けられていることが好ましい。裾口幅方向から引っ張り力が加わると、伸縮部が伸縮し、引っ張り力により生じる衣服圧が低減される。そのため、着用者に窮屈感や違和感を生じさせず、着用者は快適に作業を行うことができる。また、この伸縮部は、メッシュ素材で構成されているため、メッシュの隙間（メッシュ孔）から上衣の内側に籠もった熱を外側に放出できる。
【００１３】
本考案に係る上衣は、後身頃の内側かつ肩部にネット部材が設けられていることが好ましい。ネット部材を設けることで、後身頃と上衣の内側に着用している衣服が密着せず、ネット部材と後身頃との間には隙間が形成される。そうすると、身体から発生した熱がその隙間を移動することができ、肩部に熱が籠もることを防止でき、着用者が作業を快適に行うことができる。
【図面の簡単な説明】
【００１４】
【図１】本考案の第一実施形態に係る上衣の正面図である。
【図２】本考案の第一実施形態に係る上衣の背面図である。
【図３】本考案の第二実施形態に係る上衣の正面図である。
【図４】本考案の第二実施形態に係る上衣の背面図である。
【考案を実施するための形態】
【００１５】
［第一実施形態］
本考案の上衣は、厚手の生地で構成されるブルゾンやシャツ等を含むものであり、本実施形態では、ブルゾンを例として、図１及び図２を参照し、説明する。なお、上衣の裾口幅方向を左右方向Ｘ、着丈方向を上下方向Ｙと記す。
本実施形態に係る上衣１は、図１に示すように、前開き部２Ａを有する前身頃２及び後身頃３から構成される胴部４と、胴部４の両側に縫合された袖部５とを備える。
【００１６】
前身頃２の前開き部２Ａには、上下方向Ｙに前開き用線ファスナ６が設けられており、前開き用線ファスナ６を上下にスライドさせることで前開き部２が開閉される。また、前身頃２には、前開き部２を覆う前たて７が設けられている。この前たて７は、襟元から裾元まで設けられている。さらに、前身頃２の外側の胸部には、胸ポケット８が設けられている。
後身頃３の内側の肩部には、ネット部材９が設けられている。このネット部材９は、ネット部材９の上端部及び側部が後身頃３に縫合され、下端部は開放されている。
【００１７】
上衣１は、前身頃２の内側かつ胸部から腹部にかけて内側収容部としての内ポケット１０が左前身頃（図１上右側）に１つ設けられている。内ポケット１０の開口部１１は前開き部２の高さ方向Ｙに沿って縫合されている。内ポケット１０は布地で構成されており、前身頃２や後身頃３の生地よりも薄い生地が使用される。
内ポケット１０には、高さ方向Ｙの長さを約二等分する位置である脇腹付近かつ内ポケット１０の縁部が前身頃２と縫合されることで、縫い付け部１３が形成されている。
また、開口部１１には、開口部１１を開閉するための開閉部としての内ポケット用線ファスナ１２が設けられている。この開口部１１は、前たて７よりも内側に形成されているため、開口部１１は前たて７によって覆われている。
【００１８】
後身頃３の外側には、図２に示すように、折り畳み部１４が２つ形成されている。この折り畳み部１４は、左肩部から左脇下部、及び右肩部から右脇下部まで、それぞれ形成されている。
折り畳み部１４は、左右方向Ｘから引っ張り力が加わると、折りたたまれている部分が開き、拡がる構造となっている。
【００１９】
次に、本実施形態に係る上衣１の作用効果について説明する。
本実施形態に係る上衣１は、前身頃２の前開き部２Ａが前開き用線ファスナ６で閉じられた状態で、前身頃２の内側に設けられた内ポケット１０に収容物（例えば、ボールペン、工具）を収容できる。そうすると、前開き用線ファスナ６で前開き２Ａを開いて、収容物を内ポケット１０に収容する必要がなくなる。そのため、前開き２Ａが前開き用線ファスナ６で閉じられた状態でも、内ポケット１０に収容物を直接収容することができ、着用者の手間を省くことができる。
また、開口部１１は、前開き部２Ａの高さ方向Ｙに沿って形成されている。高さ方向Ｙに沿って形成されていると、収容物を内ポケット１０に収容する又は取り出すための動作がしやすいため、収容物を内ポケット１０に容易に収容でき、かつ着用者に窮屈感を生じさせずに内ポケット１０から収容物を取り出すことができる。
【００２０】
本実施形態に係る上衣１は、内ポケット１０が胸部から腹部にかけて設けられ、この内ポケット１０はサイズが大きい収容物を収容することができる。
また、内ポケット１０は、縫い付け部１３によって、前身頃２に固定されているため、内ポケット１０が上衣１の内側で大きく揺れることを防止できる。したがって、着用者に不快感を生じさせることを防止できる。
【００２１】
本実施形態に係る上衣１の後身頃３の左右両側には、折り畳み部１４が形成され、左右方向Ｘから引っ張り力が加わった場合に、後身頃３の肩部や背中部の左右方向Ｘの幅が拡がる。そうすると、肩部や背中部に生じる衣服圧を低減することができる。したがって、上衣１に左右方向Ｘから引っ張り力が加わった場合に、着用者に窮屈感を生じることを抑止することができる。
【００２２】
本実施形態に係る上衣１の内側の肩部には、ネット部材９が設けられている。このネット部材９が設けられていることで、上衣１の後身頃３と、既に着用している衣服は密着せず、それらの間に隙間が形成される。そうすると、身体から発生した熱は、その隙間を移動することができるため、背中部に熱が籠もることを防止でき、着用者は快適に作業を行うことができる。
【００２３】
［第二実施形態］
本実施形態に係る上衣を、図３及び図４を参照し、説明する。
本実施形態に係る上衣１Ａは、折り畳み部１４の代わりにメッシュ素材の伸縮部材２０が設けられている点で、第一実施形態に係る上衣１と異なり、伸縮部材２０以外の構成は、第一実施形態に係る上衣１と同じである。
そのため、本実施形態では、伸縮部材２０を中心に説明し、第一実施形態の上衣１と重複する構成の説明は省略する。
【００２４】
上衣１の前身頃２及び後身頃３には、図３及び図４に示すように、一対の伸縮部としての伸縮部材２０が設けられている。伸縮部材２０は帯状であり、後身頃３の背中部から前身頃２の肩部にかけて設けられている。この伸縮部材２０は、互いに所定の間隔をあけ、上下方向Ｙの上側に向けて、互いの間隔Ｗ１が拡がるように設けられている（図４）。
【００２５】
伸縮部材２０は、メッシュ状の素材であり、メッシュ孔２１を有している。伸縮部材２０は、幅寸法Ｗ２が一定のものを使用する。この幅寸法Ｗ２は、２ｃｍから４ｃｍであることが好ましい。伸縮部材２０の幅寸法Ｗ２が２ｃｍより小さいと、伸縮性の効果が低くなってしまい、Ｗ２が４ｃｍより大きいと肩部と背中部の胴部４の適度な強度が保てなくなるおそれが生じる。伸縮部材２０の長手方向の寸法は、上衣１のサイズによって適宜決定される。
【００２６】
次に、本実施形態に係る上衣１Ａの作用効果について説明する。
本実施形態に係る上衣１Ａは、両側の肩部に伸縮部材２０が設けられ、左右方向Ｘから引っ張り力が加わると、伸縮部材２０が伸縮する。そのため、着用者の動作体勢にかかわらず、着用者に大きな衣服圧が生じることを防止できる。
また、伸縮部材２０は、前身頃２の肩部まで設けられているため、腕を後ろに回したり、胸部が拡がる動作を伴う場合にも、上衣１Ａに生じる衣服圧を低減することができる。
【００２７】
また、伸縮部材２０はメッシュ孔２１を有し、このメッシュ孔２１は通気孔として機能する。そのため、メッシュ孔２１を介して、上衣１Ａの内側の熱が外側に排出される。着用者は作業中に腕を動かすことが多く、上半身の肩部は熱が発生しやすく、上衣１Ａの内側の肩部と背中部には、熱が籠もりやすい。上衣１Ａでは、この籠もった熱が、メッシュ孔２１を介して、上衣１Ａの外側に排出できる。
したがって、着用者に不快感を生じさせず、着用者は快適に作業を行うことができる。
【００２８】
以上、本実施形態について説明したが、これ以外にも、本考案の主旨を逸脱しない限り、上記実施の形態で挙げた構成を取捨選択したり、他の構成に適宜変更することが可能である。
本実施形態では、内ポケット１０の開口部１１は、前開き用線ファスナ６で開閉する構造としたが、これに限定されず、例えば、面ファスナやボタンを使用することもできる。また、本実施形態では、内ポケット１０が左前身頃に設けた上衣１（１Ａ）について説明したが、内ポケット１０は右前身頃に設けることもできる。
【符号の説明】
【００２９】
１，１Ａ  上衣
２      前身頃
２Ａ    前開き
３      後身頃
４      胴部
５      袖部
６      前開き用線ファスナ
７      前たて
８      胸ポケット
９      ネット部材
１０    内ポケット（内側収容部）
１１    開口部
１２    内ポケット用線ファスナ（開閉部）
１３    縫い付け部
１４    折り畳み部
２０    伸縮部材
２１    メッシュ孔
Ｗ１    間隔
Ｗ２    幅寸法
Ｘ      左右方向（裾口幅方向）
Ｙ      上下方向（高さ方向）
【図１】
0003216464.tif 000003
【図２】
0003216464.tif 000004
【図３】
0003216464.tif 000005
【図４】
0003216464.tif 000006